(57)【要約】【課題】目視により音量を容易に確認すること。【解決手段】ディスクドライブのケーシング内に回転可能に配置され該ケーシングの前面に設けたフロントパネル１ａの操作口２から外方に部分的に露出されたボリウムノブ３であって、円形のノブ本体３ａを有し、該ノブ本体３ａの外周面の音量中立位置Ｐに基準凹溝９が形成され、該基準凹溝９からノブ本体３ａの回転軸心Ｏを通る横断仮想線Ｓを中心にしてノブ本体３ａの左半体３Ａまたは右半体３Ｂに塗装を施すことにより、そのノブ本体３ａが音量中立位置Ｐを基準にして左右に色分けされている。【選択図】        図１
2004335673.tif 000002
【特許請求の範囲】
【請求項１】
ディスクドライブのケーシング内に回転可能に配置され該ケーシングの前面に設けたフロントパネルの操作口から外方に部分的に露出されたボリウムノブであって、円形のノブ本体を有し、該ノブ本体の外周面の音量中立位置に基準凹溝が形成され、該基準凹溝からノブ本体の回転軸心を通る横断仮想線を中心にしてノブ本体の左半体または右半体に塗装を施すことにより、そのノブ本体が音量中立位置を基準にして左右に色分けされていることを特徴とするボリウムノブ。
【請求項２】
ディスクドライブのケーシング内に回転可能に配置され該ケーシングの前面に設けたフロントパネルの操作口から外方に部分的に露出されたボリウムノブであって、半円状の左半体と右半体とを異なる着色の合成樹脂材で別個に成形し、該両半体を一体化させることにより形成した円形のノブ本体を有し、該ノブ本体の外周面の左右両半体の境界に音量中立位置を示す基準凹溝を形成することにより、その音量中立位置を基準にしてノブ本体が左右に色分けされていることを特徴とするボリウムノブ。
【請求項３】
ディスクドライブのケーシング内に回転可能に配置され該ケーシングの前面に設けたフロントパネルの操作口から外方に部分的に露出されたボリウムノブであって、円形のノブ本体を有し、該ノブ本体の外周面の音量中立位置に基準凹溝が形成され、そのノブ本体とほぼ同径で左半体と右半体とに異なる着色を施した円形シールが形成され、該円形シールの外周縁の左右両半体の境界に基準凹溝とほぼ同形の凹部が形成され、該凹部を前記基準凹溝に一致させた状態で円形シールをノブ本体の上面に同心状に貼着させることにより、そのノブ本体が音量中立位置を基準にして左右に色分けされていることを特徴とするボリウムノブ。
【請求項４】
電気機器のケーシング内に回転可能に配置され該ケーシングの前面に設けたフロントパネルの操作口から外方に部分的に露出されたボリウムノブであって、円形のノブ本体を有し、該ノブ本体の外周面の音量中立位置からそのノブ本体の回転軸心を通る横断仮想線を中心にしてノブ本体の左半体と右半体とが異なる着色で色分けされていることを特徴とするボリウムノブ。
【請求項５】
前記ノブ本体の左半体または右半体に塗装を施すことにより、該ノブ本体が音量中立位置を基準にして左右に色分けされていることを特徴とする請求項４に記載のボリウムノブ。
【請求項６】
前記ノブ本体が、異なる着色の合成樹脂材で別個に成形した半円状の左半体と右半体とを一体化させることにより形成され、前記両半体の境界に形成した音量中立位置を基準にしてノブ本体が左右に色分けされていることを特徴とする請求項４に記載のボリウムノブ。
【請求項７】
前記ノブ本体とほぼ同径で左半体と右半体とに異なる着色を施した円形シールが形成され、該円形シールを前記ノブ本体の上面に同心状に貼着させることにより、その円形シールの両半体の境界に形成した音量中立位置を基準にしてノブ本体が左右に色分けされていることを特徴とする請求項４に記載のボリウムノブ。
【請求項８】
前記ノブ本体の外周面の音量中立位置に基準凹溝が形成されていることを特徴とする請求項４から７のいずれかに記載のボリウムノブ。
【発明の詳細な説明】
【０００１】
【発明の属する技術分野】
本発明は、例えばＤＶＤ・ＲＷのディスクドライブなどの電気機器に用いられるボリウムノブに関する。
【０００２】
【従来の技術】
従来、ＤＶＤ・ＲＷのディスクドライブの一例として図６に示すものがある。これは、ケーシング１内に回転可能に配置され該ケーシング１の前面に設けたフロントパネル１ａの操作口２から外方に部分的に露出されたボリウムノブ３を設けており、該ボリウムノブ３は、外周面に滑り止め溝を多数形成した円形のノブ本体３ａを有している。なお、４はヘッドホーン用ジャック、５はトレイ６を出退させるための押釦、７はドライブ駆動表示灯である。
【０００３】
操作手順を説明すると、押釦５を押してトレイ６をアンローディングさせ（図６仮想線参照）、該トレイ６上にディスク（図示せず）を載置した後、押釦５を押してトレイ６をローディングし（図６実線参照）、該トレイ６上のディスクをターンテーブルにより回転させて光ピックアップによりディスクに記録されている情報を読み取とって再生し、その再生音声をボリウムノブ３の左方向ａへの回転により大音量にしたり右方向ｂへの回転により小音量にしたりして調整し、その調整した再生音声をジャック４に接続したヘッドホンにより聞き取る。
【０００４】
前記ボリウムノブ３では、目視により音量がどの程度か判断できない。従って、再生開始時にボリウムノブ３を左方向ａへ回し過ぎて、大音量により聴覚を強く刺激して不快感を与えたり、その逆に、ボリウムノブ３を右方向ｂへ回し過ぎて、小音量により再生音が聞こえ難かったりして、ユーザに不快感を与えることがある。
【０００５】
上記難点を解消する技術の一例として特許文献１に記載したものがある。これは、ノブ本体３ａの上面に音量中立位置を中心にして一対の三日月状表示を設けたものであって、操作口２から外方に露出する両三日月状表示の位置関係を目視することにより、音量を確認する。
【０００６】
【特許文献１】
実開昭４７−３４０４３号公報
【０００７】
【発明が解決しようとする課題】
上記従来の構成では、ノブ本体３ａの上面に設けた両三日月状表示が小さくてその存在を陰影で現しているだけであるため、その両三日月状表示の位置関係から音量を確認するためには、注意深く目視する必要があり、ユーザに過度の負担を強いることになる。
【０００８】
本発明は、上記従来の欠点に鑑み、目視により音量を容易に確認することができるようにしたボリウムノブを提供することを目的としている。
【０００９】
【課題を解決するための手段】
上記目的を達成するため、請求項１に記載の発明は、ディスクドライブのケーシング内に回転可能に配置され該ケーシングの前面に設けたフロントパネルの操作口から外方に部分的に露出されたボリウムノブであって、円形のノブ本体を有し、該ノブ本体の外周面の音量中立位置に基準凹溝が形成され、該基準凹溝からノブ本体の回転軸心を通る横断仮想線を中心にしてノブ本体の左半体または右半体に塗装を施すことにより、そのノブ本体が音量中立位置を基準にして左右に色分けされていることを特徴としている。
【００１０】
上記構成は第１の実施の形態（図１及び図２参照）に対応するものであって、これによれば、ノブ本体が音量中立位置を基準にして左右に色分けされているから、その左右の色の比率を目視することにより、音量がどの程度かを容易に確認することができ、特に、再生開始時には、左右の色の比率を１対１にすることにより、音量を簡単に中立にすることができ、これによって、従来のように大音量により聴覚を強く刺激したり小音量により再生音が聞こえ難かったりしてユーザに不快感を与えるという問題点を解消することができる。
【００１１】
また、ノブ本体の外周面に形成した基準凹溝に指部を接触させることにより、例えば暗い所で音量を調整する場合でも、音量中立位置を容易に確認することができる。
【００１２】
更に、ノブ本体の左半体または右半体に塗装を施すだけで、そのノブ本体を左右に明確に色分けすることができる。
【００１３】
請求項２に記載の発明は、ディスクドライブのケーシング内に回転可能に配置され該ケーシングの前面に設けたフロントパネルの操作口から外方に部分的に露出されたボリウムノブであって、半円状の左半体と右半体とを異なる着色の合成樹脂材で別個に成形し、該両半体を一体化させることにより形成した円形のノブ本体を有し、該ノブ本体の外周面の左右両半体の境界に音量中立位置を示す基準凹溝を形成することにより、その音量中立位置を基準にしてノブ本体が左右に色分けされていることを特徴としている。
【００１４】
上記構成は第２の実施の形態（図３参照）に対応するものであって、これによれば、請求項１に記載の発明と同様の効果を得ることができ、特に、ノブ本体の左半体と右半体とを異なる着色の合成樹脂材で別個に成形しているので、そのノブ本体を左右に明確に色分けすることができる。
【００１５】
請求項３に記載の発明は、ディスクドライブのケーシング内に回転可能に配置され該ケーシングの前面に設けたフロントパネルの操作口から外方に部分的に露出されたボリウムノブであって、円形のノブ本体を有し、該ノブ本体の外周面の音量中立位置に基準凹溝が形成され、そのノブ本体とほぼ同径で左半体と右半体とに異なる着色を施した円形シールが形成され、該円形シールの外周縁の左右両半体の境界に基準凹溝とほぼ同形の凹部が形成され、該凹部を前記基準凹溝に一致させた状態で円形シールをノブ本体の上面に同心状に貼着させることにより、そのノブ本体が音量中立位置を基準にして左右に色分けされていることを特徴としている。
【００１６】
上記構成は第３の実施の形態（図４及び図５参照）に対応するものであって、これによれば、請求項１に記載の発明と同様の効果を得ることができ、特に、ノブ本体とほぼ同径で左半体と右半体とに異なる着色を施した円形シールをノブ本体の上面に同心状に貼着させているので、そのノブ本体を左右に明確に色分けすることができ、また、ノブ本体として既存品をそのまま使用し、そのノブ本体の上面に安価な円形シールを貼着させるだけでよいから、製作費が安くつく。
【００１７】
請求項４に記載の発明は、電気機器のケーシング内に回転可能に配置され該ケーシングの前面に設けたフロントパネルの操作口から外方に部分的に露出されたボリウムノブであって、円形のノブ本体を有し、該ノブ本体の外周面の音量中立位置からそのノブ本体の回転軸心を通る横断仮想線を中心にしてノブ本体の左半体と右半体とが異なる着色で色分けされていることを特徴としている。
【００１８】
上記構成によれば、ノブ本体が音量中立位置を基準にして左右に色分けされているから、その左右の色の比率を目視することにより、音量がどの程度かを容易に確認することができ、特に、再生開始時には、左右の色の比率を１対１にすることにより、音量を簡単に中立にすることができ、これによって、従来のように大音量により聴覚を強く刺激したり小音量により再生音が聞こえ難かったりしてユーザに不快感を与えるという問題点を解消することができる。
【００１９】
請求項５に記載の発明は、請求項４に記載の発明において、前記ノブ本体の左半体または右半体に塗装を施すことにより、該ノブ本体が音量中立位置を基準にして左右に色分けされていることを特徴としている。
【００２０】
上記構成によれば、ノブ本体の左半体または右半体に塗装を施すだけで、そのノブ本体を左右に明確に色分けすることができる。
【００２１】
請求項６に記載の発明は、請求項４に記載の発明において、前記ノブ本体が、異なる着色の合成樹脂材で別個に成形した半円状の左半体と右半体とを一体化させることにより形成され、前記両半体の境界に形成した音量中立位置を基準にしてノブ本体が左右に色分けされていることを特徴としている。
【００２２】
上記構成によれば、ノブ本体の左半体と右半体とを異なる着色の合成樹脂材で別個に成形しているので、該ノブ本体を左右に明確に色分けすることができる。
【００２３】
請求項７に記載の発明は、請求項４に記載の発明において、前記ノブ本体とほぼ同径で左半体と右半体とに異なる着色を施した円形シールが形成され、該円形シールを前記ノブ本体の上面に同心状に貼着させることにより、そのノブ本体が音量中立位置を基準にして左右に色分けされていることを特徴としている。
【００２４】
上記構成によれば、ノブ本体とほぼ同径で左半体と右半体とに異なる着色を施した円形シールをノブ本体の上面に同心状に貼着させているので、そのノブ本体を左右に明確に色分けすることができ、また、ノブ本体として既存品をそのまま使用し、そのノブ本体の上面に安価な円形シールを貼着させるだけでよいから、製作費が安くつく。
【００２５】
請求項８に記載の発明は、請求項４から７のいずれかに記載の発明において、前記ノブ本体の外周面の音量中立位置に基準凹溝が形成されていることを特徴としている。
【００２６】
上記構成によれば、ノブ本体の外周面に形成した基準凹溝に指部を接触させることにより、例えば暗い所で音量を調整する場合でも、音量中立位置を容易に確認することができる。
【００２７】
【発明の実施の形態】
図１は本発明の第１の実施の形態であるボリウムノブ３を取り付けたディスクドライブを示すものであって、円形ノブ本体３ａの外周面の音量中立位置Ｐに基準凹溝９が形成され、該基準凹溝９からノブ本体３ａの回転軸心Ｏを通る横断仮想線Ｓを中心にしてそのノブ本体３ａの左半体３Ａと右半体３Ｂとが異なる着色（例えばグレーとブルー）で色分けされている。なお、１０はプリント基板１１上に配置した可変抵抗器である。上記以外の構成は図６に示す構成とほぼ同じであるから、同一部分に同一符号を付してその説明を省略する。
【００２８】
ノブ本体３ａの着色手順を説明すると、図２（ａ）に示すように、例えばグレーに着色した合成樹脂材により成形したノブ本体３ａを上下一対のマスク１２ａ，１２ｂで左半体３Ａと右半体３Ｂとに分け、エアブラシ１３により左半体３Ａ（または右半体３Ｂ）に例えばブルーの着色で塗装し、図２（ｂ）に示すように、左半体３Ａと右半体３Ｂとが異なる着色で色分けされたノブ本体３ａを形成すればよい。
【００２９】
上記構成によれば、ノブ本体３ａが音量中立位置Ｐを基準にして左右に色分けされているから、その左右の色の比率を目視することにより、音量がどの程度かを容易に確認することができ、特に、再生開始時には、左右の色の比率を１対１にすることにより、音量を簡単に中立にすることができ、これによって、従来のように大音量により聴覚を強く刺激したり小音量により再生音が聞こえ難かったりしてユーザに不快感を与えるという問題点を解消することができる。
【００３０】
また、ノブ本体３ａの外周面に形成した基準凹溝９に指部を接触させることにより、例えば暗い所で音量を調整する場合でも、音量中立位置Ｐを容易に確認することができる。
【００３１】
更に、ノブ本体３ａの左半体３Ａ（または右半体３Ｂ）に塗装を施すだけで、そのノブ本体３ａを左右に明確に色分けすることができる。
【００３２】
上記した第１の実施の形態では、ノブ本体３ａの左半体３Ａ（または右半体３Ｂ）に塗料を施すことにより色分けしたが、これに限定されるわけではなく、図３（ａ）に示すように、互いに回転可能に接続したロータリ式成形金型１５ａ，１５ｂにより、ノブ本体３ａの右半体３Ｂ（または左半体３Ａ）を例えばグレーに着色した合成樹脂材で成形した後、図３（ｂ）に示すように、相対的に回転させた両成形金型１５ａ，１５ｂにより、ノブ本体３ａの左半体３Ａ（または右半体３Ｂ）を例えばブルーに着色した合成樹脂材で成形すると共に、その両半体３Ａ，３Ｂを一体化させてノブ本体３ａを形成し、該ノブ本体３ａの外周面の左右両半体３Ａ，３Ｂの境界に音量中立位置Ｐを示す基準凹溝９を形成することにより、図３（ｃ）に示すように、音量中立位置Ｐを基準にして左右に色分けしたノブ本体３ａを形成してもよい（第２の実施の形態）。
【００３３】
上記構成によれば、第１の実施の形態と同様の効果を得ることができ、特に、ノブ本体３ａの左半体３Ａと右半体３Ｂとを異なる着色の合成樹脂材で別個に成形しているので、そのノブ本体３ａを左右に明確に色分けすることができる。
【００３４】
図４は本発明の第３の実施の形態であるボリウムノブ３を取り付けたディスクドライブを示すものであって、ノブ本体３ａの上面に、該ノブ本体３ａとほぼ同径で左半体１７Ａと右半体１７Ｂとに異なる着色を施し外周縁に基準凹溝９とほぼ同形の半円状凹部１８を形成した円形シール１７が貼着されている。
【００３５】
前記円形シール１７の貼着手順を説明すると、図５（ａ）に示すように、離型紙１９に接着剤を介して貼着したシート２０に印刷を施して多数の円形シール１７を所定間隔をおいて形成すると共に、その各円形シール１７をポンチにより切り抜いておき、離型紙１９から剥離した円形シール１７の凹部１８を基準凹溝９に一致させた状態でその円形シール１７をノブ本体３ａの上面に同心状に貼着すればよい〔図５（ｂ）参照〕。
【００３６】
上記構成によれば、第１の実施の形態と同様の効果を得ることができ、特に、ノブ本体３ａとほぼ同径で左半体１７Ａと右半体１７Ｂとに異なる着色を施した円形シール１７をノブ本体３ａの上面に同心状に貼着させているので、そのノブ本体３ａを左右に明確に色分けすることができ、また、ノブ本体３ａとして既存品をそのまま使用し、そのノブ本体３ａの上面に安価な円形シール１７を貼着させるだけでよいから、製作費が安くつく。
【００３７】
上記の各実施例では、ディスクドライブに使用されるボリウムノブ３を例にあげて説明したが、これに限定されるわけではなく、ディスクドライブ以外の各種電気機器に使用されるボリウムノブ３にも適用される。
【００３８】
【発明の効果】
請求項１に記載の発明によれば、第１の実施の形態（図１及び図３参照）に示すように、ノブ本体が音量中立位置を基準にして左右に色分けされているから、その左右の色の比率を目視することにより、音量がどの程度かを容易に確認することができ、特に、再生開始時には、左右の色の比率を１対１にすることにより、音量を簡単に中立にすることができ、これによって、従来のように大音量により聴覚を強く刺激したり小音量により再生音が聞こえ難かったりしてユーザに不快感を与えるという問題点を解消することができる。
【００３９】
また、ノブ本体の外周面に形成した基準凹溝に指部を接触させることにより、例えば暗い所で音量を調整する場合でも、音量中立位置を容易に確認することができる。
【００４０】
更に、ノブ本体の左半体または右半体に塗装を施すだけで、そのノブ本体を左右に明確に色分けすることができる。
【００４１】
請求項２に記載の発明によれば、第２の実施の形態（図３参照）に示すように、請求項１に記載の発明と同様の効果を得ることができ、特に、ノブ本体の左半体と右半体とを異なる着色の合成樹脂材で別個に成形しているので、そのノブ本体を左右に明確に色分けすることができる。
【００４２】
請求項３に記載の発明によれば、第３の実施の形態（図４及び図５参照）に示すように、請求項１に記載の発明と同様の効果を得ることができ、特に、ノブ本体とほぼ同径で左半体と右半体とに異なる着色を施した円形シールをノブ本体の上面に同心状に貼着させているので、そのノブ本体を左右に明確に色分けすることができ、また、ノブ本体として既存品をそのまま使用し、そのノブ本体の上面に安価な円形シールを貼着させるだけでよいから、製作費が安くつく。
【００４３】
請求項４に記載の発明によれば、ノブ本体が音量中立位置を基準にして左右に色分けされているから、その左右の色の比率を目視することにより、音量がどの程度かを容易に確認することができ、特に、再生開始時には、左右の色の比率を１対１にすることにより、音量を簡単に中立にすることができ、これによって、従来のように大音量により聴覚を強く刺激したり小音量により再生音が聞こえ難かったりしてユーザに不快感を与えるという問題点を解消することができる。
【００４４】
請求項５に記載の発明によれば、ノブ本体の左半体または右半体に塗装を施すだけで、そのノブ本体を左右に明確に色分けすることができる。
【００４５】
請求項６に記載の発明によれば、ノブ本体の左半体と右半体とを異なる着色の合成樹脂材で別個に成形しているので、該ノブ本体を左右に明確に色分けすることができる。
【００４６】
請求項７に記載の発明によれば、ノブ本体とほぼ同径で左半体と右半体とに異なる着色を施した円形シールをノブ本体の上面に同心状に貼着させているので、そのノブ本体を左右に明確に色分けすることができ、また、ノブ本体として既存品をそのまま使用し、そのノブ本体の上面に安価な円形シールを貼着させるだけでよいから、製作費が安くつく。
【００４７】
請求項８に記載の発明によれば、ノブ本体の外周面に形成した基準凹溝に指部を接触させることにより、例えば暗い所で音量を調整する場合でも、音量中立位置を容易に確認することができる。
【図面の簡単な説明】
【図１】（ａ）は本発明の第１の実施の形態であるボリウムノブを取り付けたディスクドライブの要部を示す斜視図、（ｂ）は同要部の正面図、（ｃ）は同要部の水平断面図である。
【図２】（ａ）は同ノブ本体の着色手順を説明する斜視図、（ｂ）は着色したノブ本体の斜視図である。
【図３】（ａ）は本発明の第２の実施の形態であるボリウムノブを形成するノブ本体の成形手順の前段を示す水平断面図、（ｂ）は同手順の後段を示す水平断面図、（ｃ）は成形したノブ本体の斜視図である。
【図４】（ａ）は本発明の第３の実施の形態であるボリウムノブを取り付けたディスクドライブの要部を示す斜視図、（ｂ）は同要部の正面図、（ｃ）は同要部の水平断面図である。
【図５】（ａ）は同ノブ本体の上面に貼着される円形シールを示す斜視図、（ｂ）は円形シールを貼着したノブ本体の斜視図である。
【図６】従来のディスクドライブの一例を示す斜視図である。
【符号の説明】
１          ケーシング
１ａ        フロントパネル
２          操作口
３          ボリウムノブ
３ａ        ノブ本体
３Ａ        ノブ本体の左半体
３Ｂ        ノブ本体の右半体
９          基準凹溝
１７        シール
１７Ａ      シールの左半体
１７Ｂ      シールの右半体
１８        凹部
Ｐ          音量中立位置
Ｏ          ノブ本体の回転軸心
Ｓ          横断仮想線
【図１】
2004335673.tif 000003
【図２】
2004335673.tif 000004
【図３】
2004335673.tif 000005
【図４】
2004335673.tif 000006
【図５】
2004335673.tif 000007
【図６】
2004335673.tif 000008